(57)【要約】【課題】設置場所に左右されることなく良好なＦＭ放送波の受信状態を保つことができるラジオ放送受信機能付電話装置を提供する。【解決手段】ラジオ受信部２０は、チューナ回路を備えているがこのチューナ回路には、ロッドアンテナを接続していない。チューナ回路のＦＭアンテナ入力のラインをコンデンサ２１を介して電話の回線ラインに接続している。こうすることにより回線ラインがＦＭのアンテナとなり放送局からの電波がチューナ回路に入りやすくなる。電話回線モジュラー端子１１に接続されている電話回線には、ＲＦ信号が誘起されて乗っている。これを電話回線と並列に接続したコンデンサ２１を介してラジオ受信部２０のチューナ回路にて用いる。【選択図】  図１
2004320145.tif 000002
【特許請求の範囲】
【請求項１】
電話回線を通じて電話通信を行う電話手段と、
前記電話回線を用いてラジオ放送を受信するラジオ受信手段とを備えることを特徴とするラジオ放送受信機能付電話装置。
【請求項２】
前記ラジオ受信手段は、前記電話回線にコンデンサを介して接続することを特徴とする請求項１記載のラジオ放送受信機能付電話装置。
【発明の詳細な説明】
【０００１】
【発明の属する技術分野】
本発明は、例えばＦＭラジオ放送受信機能付の家庭用電話装置に関する。
【０００２】
【従来の技術】
従来、家庭用電話装置にあっては、電話未使用時や、或いは通話時のバックグランドミュージックとして、例えばＦＭラジオ放送や、ＡＭラジオ放送からの受信音を電話装置周辺や、送受信者に提供するタイプのものが知られるようになった。例えば、本件出願人による特開平０９−１８５６１号公報には、ラジオ受信機能を備えた電話装置が開示されている。
【０００３】
図２には、従来のラジオ放送受信機能付家庭用電話装置５０の構成を示す。従来の電話装置５０は、電話回路６０と、ラジオ受信部７０とを備えている。電話回路６０は、電話回線モジュラー端子６１に接続する。また、電話回路６０は、マイクロフォン６２とハンドセット６３にも接続する。電話回線モジュラー端子６１を介して受信した音声信号を電話回路６０にて復調しハンドセット６３内のスピーカにより使用者の耳に放音している。また、ハンドセット６３や、マイクロホン６２を用いて収音した使用者の音声を電話回路６０にて音声送信信号に変換し、電話回線モジュラー端子６１を介して送信する。
【０００４】
ラジオ受信部７０は、入力側にロッドアンテナ７１を接続し、出力側に増幅器７２を接続している。ロッドアンテナ７１により受信したラジオ放送波をラジオ受信部７０にて復調し、増幅器７２にて増幅してからスピーカ７３により出力している。
【０００５】
また、特開平０６−９７８７６号公報には、子機又は親機に無線放送受信用のチューナを設け、子機から無線放送の音声を出力するようにした構成のコードレス電話機が開示されている。
【０００６】
【特許文献１】
特開平０９−１８５６１号
【特許文献２】
特開平０６−９７８７６号
【０００７】
【発明が解決しようとする課題】
ところで、前記従来のラジオ放送受信機能付家庭用電話装置で、ＦＭラジオ放送を受信しようとすると、以下の問題が発生していた。
【０００８】
ある程度の受信感度を得るためには、図２に示したように、セットの外部にロッドアンテナ７１をつける必要があり、コストアップとなっていた。
【０００９】
また、セットの外にロッドアンテナ７１を付けていても家の中で使用した場合、場所によっては電波が入りにくくなり、受信感度が悪くなるときがあった。
【００１０】
以上のようにこれらの電話装置にて家の中でＦＭラジオ放送を受信しているとき、必ずしも良好な受信状態とはいえなかった。
【００１１】
本発明は、前記実情に鑑みてなされたものであり、設置場所に左右されることなく良好なＦＭ放送波の受信状態を保つことができるラジオ放送受信機能付電話装置の提供を目的とする。
【００１２】
【課題を解決するための手段】
本発明に係るラジオ放送受信機能付電話装置は、電話回線を通じて電話通信を行う電話手段と、前記電話回線を用いてラジオ放送を受信するラジオ受信手段とを備える。
【００１３】
本発明によれば、家の中にありしかも長い回線ラインをＦＭアンテナとして利用することができるようになる。
【００１４】
【発明の実施の形態】
以下、本発明の実施の形態について図面を参照しながら説明する。この実施の形態は、電話未使用時や、或いは通話時のバックグランドミュージックとして、例えばＦＭラジオ放送や、ＡＭラジオ放送からの受信音を電話装置周辺や、送受信者に提供するラジオ放送受信機能付き家庭用電話装置１である。
【００１５】
図１に示すように、前記電話装置１は、電話回路１０と、ラジオ受信部２０とを備えている。
【００１６】
電話回路１０は、電話回線モジュラー端子１１に接続する。また、電話回路１０は、マイクロフォン１２とハンドセット１３にも接続する。電話回線モジュラー端子１１に接続している電話回線を介して受信した通話音声信号を電話回路１０にて復調しハンドセット１３内のスピーカにより使用者の耳に放音している。また、ハンドセット１３や、マイクロホン１２を用いて収音した使用者の通話音声を電話回路１０にて音声送信信号に変換し、電話回線モジュラー端子１１に接続されている電話回線を介して送信する。
【００１７】
電話回路１０は、回線２−４変換回路を備え、電話回線モジュラー端子１１からの２線を、スピーカ用及びマイクロフォン用の各２線の計４線に変換する。
【００１８】
ラジオ受信部２０は、前記電話回路１０と電話回線モジュラー端子１１との間の電話回線にコンデンサ２１を介して接続している。また、ラジオ受信部２０は、後段にミュート回路２２を接続している。ミュート回路２２は、切り換えスイッチ２３に接続し、切り換えスイッチ２３には増幅器２４が接続している。増幅器２４には、スピーカ２５が接続している。
【００１９】
ラジオ受信部２０は、チューナ回路を備えているがこのチューナ回路には、前記従来例のようにロッドアンテナを接続していない。チューナ回路のＦＭアンテナ入力のラインをコンデンサ２１を介して電話の回線ラインに接続している。こうすることにより回線ラインがＦＭのアンテナとなり放送局からの電波がチューナ回路に入りやすくなる。
【００２０】
電話回線モジュラー端子１１に接続されている電話回線には、ＲＦ信号が誘起されて乗っている。これを電話回線と並列に接続したコンデンサ２１を介してラジオ受信部２０のチューナ回路にて用いる。
【００２１】
また、ミュート回路２２は、ラジオ受信部２０により受信されたＦＭラジオ放送の音声信号をマイクロコンピュータ３０の制御に基づいてミュートする。切り換えスイッチ２３は、電話回路１０からの受信音声をラジオ放送の音声と切り換える。
【００２２】
さらに、前記電話装置１は、リンガ検出部３１とフックスイッチ３２を接続したマイクロコンピュータ３０を備えている。リンガ検出部３１は、外線着信時にリンガが発生した呼び出し音を検出し、マイクロコンピュータ３０に着信信号を送る。フックスイッチ３２は、外線発呼時にユーザがハンドセット１３を持ち上げたのを検出するとオンになり、マイクロコンピュータ３０に検出信号を送る。
【００２３】
マイクロコンピュータ３０は、外線着信時にリンガ検出部３１から着信信号を受信すると、ミュート回路２２をオンにし、ラジオ受信部２０からの音声を、ミュートする。また、マイクロコンピュータ３０は、外線発呼時にフックスイッチ３２から検出信号を受信すると、ミュート回路２２をオンにし、ラジオ受信部２０からの音声を、ミュートする。
【００２４】
また、通話中には、使用者がハンドセット１３を上げているのでフックスイッチ３２はオンになったままであり、マイクロコンピュータ３０はミュート回路２２をオンにしたままにし、ラジオの音をミュートしたままにする。
【００２５】
なお、前記電話装置１は、リンガ検出信号により着信信号を検出したとき、又はフック検出信号を検出したときに、マイクロコンピュータ３０の制御により、ミュート回路２２をオンし、ラジオの音をミュートしたが、ボリューム調整回路を設けてラジオの音の音量を通話の妨げにならない程度に絞るようにしてもよい。
【００２６】
本実施の形態の電話装置１は、家の中にありしかも外にも伸びている長い回線ラインをＦＭアンテナとして利用することができるようになりセットの家の中での設置場所に左右されることなく良好なＦＭの受信状態を保つことができるようになる。また、従来セットの外にあったＦＭアンテナを削除することができ、セットのコストダウンに寄与できる。
【００２７】
【発明の効果】
本発明に係るラジオ放送受信機能付家庭用電話装置によれば、電話回線を用いてラジオ放送を受信するラジオ受信手段を用いているので、設置場所に左右されることなく良好なＦＭ放送波の受信状態を保つことができる。
【図面の簡単な説明】
【図１】ラジオ放送受信機能付家庭用電話装置のブロック回路図である。
【図２】従来のラジオ放送受信機能付家庭用電話装置のブロック回路図である。
【符号の説明】
１  ラジオ放送受信機能付家庭用電話装置、１０  電話回路、２０  ラジオ受信部、２１  コンデンサ、２２  ミュート回路、３０  マイクロコンピュータ、３１  リンガ検出部、３２  フックスイッチ
【図１】
2004320145.tif 000003
【図２】
2004320145.tif 000004